(57)【要約】【課題】      自己容量方式を採用しつつ、高価なアンプを要せずに導体の接近又は接触を高精度に検出可能なタッチセンサ付携帯型装置等を提供することを目的とする。【解決手段】  筐体と、近接する導体との間で静電容量を形成するセンサ電極とを備えるタッチセンサ付携帯型装置であって、筐体の内部にあり、又は、筐体の一部若しくは全部であって、基準電位となる基準電位部と、基準電位部に接続し、基準電位部を基準電位として導体に電圧を印加する電源部と、センサ電極及び基準電位部に接続して、電圧が印加された導体との間で静電容量を形成するセンサ電極に流れる電流を、基準電位部を基準にして検出する検出部とを備えることを特徴とするタッチセンサ付携帯型装置である。【選択図】  図１
2015111317.tif 000002
【特許請求の範囲】
【請求項１】
筐体と、近接する導体との間で静電容量を形成するセンサ電極とを備えるタッチセンサ付携帯型装置であって、
前記筐体の内部にあり、又は、前記筐体の一部若しくは全部であって、基準電位となる基準電位部と、
前記基準電位部に接続し、前記基準電位部を基準電位として前記導体に時間的に変動する電圧を印加する電源部と、
前記センサ電極及び前記基準電位部に接続して、前記電圧が印加された前記導体との間で静電容量を形成する前記センサ電極に流れる電流を、前記基準電位部を基準にして検出する検出部とを備えることを特徴とするタッチセンサ付携帯型装置。
【請求項２】
前記導体は、人体であり、
前記人体が接触し、前記筺体の一部又は全部である導電性の接触部をさらに備え、
前記電源部は、前記接触部に電気的に接続して、前記接触部を経由して前記電圧を前記人体に印加するものであり、
前記検出部は、前記接触部に接触した前記人体との間で静電容量を形成した前記センサ電極に流れる電流を検出するものである、請求項１記載のタッチセンサ付携帯型装置。
【請求項３】
前記検出部に対して、前記基準電位部に接続させてローサイド検出をさせるか、又は、前記電源部の電圧を印加させてハイサイド検出をさせるかを切り替える切替手段をさらに備える、請求項２記載のタッチセンサ付携帯型装置。
【請求項４】
前記導体は、可撓性を有し、かつ、前記電源部に電気的に接続されており、
前記導体と前記センサ電極との間に可撓性を有する絶縁体をさらに備え、
前記検出部は、前記導体と前記センサ電極との距離の変化を電流の変化として検出する、請求項１記載のタッチセンサ付携帯型装置。
【請求項５】
前記センサ電極として、略短冊形状の第１センサ電極及び第２センサ電極を略同一平面上に備え、
前記第１センサ電極及び前記第２センサ電極は、長辺側が近接するように配列され、
前記第１センサ電極及び前記第２センサ電極のそれぞれは、前記長辺方向に互いに離れた２点において前記検出部と接続されている、請求項１から４のいずれかに記載のタッチセンサ付携帯型装置。
【請求項６】
前記基準電位部に接続することにより前記センサ電極と等電位となり、表示部に通電する表示電極をさらに備える、請求項１から５のいずれかに記載のタッチセンサ付携帯型装置。
【発明の詳細な説明】
【技術分野】
【０００１】
本発明は、タッチセンサ装置及び表示装置に関し、特に、筐体と、近接する導体との間で静電容量を形成するセンサ電極とを備えるタッチセンサ付携帯型装置等に関する。
【背景技術】
【０００２】
タッチセンサ装置は、タッチパネル等への接近又は接触を検出するものである。タッチセンサの方式には、自己容量方式と相互容量方式が知られている。
【０００３】
自己容量方式は、電流計等の検出部が、人体などの検出対象である導体とセンサ電極とが形成する浮遊容量の変化を直接的に検出する方式である。特許文献１には、自己容量方式を用いたタッチセンサ装置の例として、交流電源部１１１と電流検出回路１３１及び１３２は、それぞれ異なるアース９１、９２及び９３に接続され、交流電源部１１１に接続されたペン１４９と導電膜１０３とが形成するコンデンサ１０７に流れる電流を電流検出回路１３１及び１３２が検出する表示装置１０１が記載されている（図６参照）。
【０００４】
相互容量方式は、センサ電極と駆動電極が形成する相互容量の一部が人体などの導体の接近によって浮遊容量に変化し、その減少によって、その導体の接近を検出する方式である。
【０００５】
また、発明者等は、両端が交流電源部２１１１及び２１１２に接続された一層のセンサ電極２０３１、２０３２、２０３３・・・を用いて、一層の電極で複数の指の接触位置を測定する、マルチタッチセンサ装置２０１等を開発してきた（図７及び非特許文献１参照）。
【先行技術文献】
【特許文献】
【０００６】
【特許文献１】特開２０１１−０１４１０９号公報
【非特許文献】
【０００７】
【非特許文献１】田中ら著，「ハイブリッド静電容量方式タッチセンサ用アナログＬＳＩの検討」，信学技報，社団法人電子情報通信学会，２００９．
【発明の概要】
【発明が解決しようとする課題】
【０００８】
しかしながら、自己容量方式は、導体が接近して初めて形成される浮遊容量の変化を検出する必要がある。この浮遊容量を検出するためには、センサ電極の電圧を変化させ、かつ、そこに流れる電流を検出しなければならない。つまり、ハイサイド電流検出が必要となる。一般的に、ハイサイド電流検出回路は、ローサイド電流検出回路と比較して、複雑で高価なアンプが必要となる。
【０００９】
さらに、特許文献１記載の技術では、交流電源部と電流検出回路は、それぞれ異なるアースに接続されるものとなっている。特許文献１には、アースから浮いてしまう携帯型装置への応用については、記載も示唆もされていない。
【００１０】
一方、相互容量方式を用いた場合、駆動用電極の電圧変化による相互容量を介して流れる電流を検出する。そのため、センシング電極の電圧は変化させる必要はなく、ローサイド検出回路で行われる。この方式を用いて２次元上のタッチ位置を知るためには、駆動電極とセンシング電極を２次元格子状に配置しなければならず、どうしても２層の電極形成が必要となる。すなわち、表面容量法で知られる一層の電極で検出できる方法は、用いることができない。また、浮遊容量を直接検出するのではなく、センシング電極端から横方向に広がる電界（フリンジ電界）の変化による相互容量の変化を観測するため、感度の点で自己容量法に対して不利な面を持つ。高感度の実現は、ノイズの低減に寄与する他、手袋をした手によるタッチ検出や、ガラス面への接触せず接近だけでの入力が可能となるなど新機能の創出にも寄与し、非常に重要である。
【００１１】
また、発明者等が開発した非特許文献１に記載のマルチタッチセンサ装置を、さらに高感度とすることも期待されている。
【００１２】
ゆえに、本発明は、自己容量方式を採用しつつ、高価なアンプを要せずに導体の接近又は接触を高精度に検出可能なタッチセンサ付携帯型装置等を提供することを目的とする。
【課題を解決するための手段】
【００１３】
本発明の第１の観点は、筐体と、近接する導体との間で静電容量を形成するセンサ電極とを備えるタッチセンサ付携帯型装置であって、前記筐体の内部にあり、又は、前記筐体の一部若しくは全部であって、基準電位となる基準電位部と、前記基準電位部に接続し、前記基準電位部を基準電位として前記導体に時間的に変動する電圧を印加する電源部と、前記センサ電極及び前記基準電位部に接続して、前記電圧が印加された前記導体との間で静電容量を形成する前記センサ電極に流れる電流を、前記基準電位部を基準にして検出する検出部とを備えることを特徴とするタッチセンサ付携帯型装置である。
【００１４】
本発明の第２の観点は、第１の観点に記載のタッチセンサ付携帯型装置であって、前記導体は、人体であり、前記人体が接触し、前記筺体の一部又は全部である導電性の接触部をさらに備え、前記電源部は、前記接触部に電気的に接続して、前記接触部を経由して前記電圧を前記人体に印加するものであり、前記検出部は、前記接触部に接触した前記人体との間で静電容量を形成した前記センサ電極に流れる電流を検出するものである
【００１５】
本発明の第３の観点は、第２の観点に記載のタッチセンサ付携帯型装置であって、前記検出部に対して、前記基準電位部に接続させてローサイド検出をさせるか、又は、前記電源部の電圧を印加させてハイサイド検出をさせるかを切り替える切替手段をさらに備える。
【００１６】
本発明の第４の観点は、第１の観点に記載のタッチセンサ付携帯型装置であって、前記導体は、可撓性を有し、かつ、前記電源部に電気的に接続されており、前記導体と前記センサ電極との間に可撓性を有する絶縁体をさらに備え、前記検出部は、前記導体と前記センサ電極との距離の変化を電流の変化として検出する。
【００１７】
本発明の第５の観点は、第１から第４のいずれかの観点に記載のタッチセンサ付携帯型装置であって、前記センサ電極として、略短冊形状の第１センサ電極及び第２センサ電極を略同一平面上に備え、前記第１センサ電極及び前記第２センサ電極は、長辺側が近接するように配列され、前記第１センサ電極及び前記第２センサ電極のそれぞれは、前記長辺方向に互いに離れた２点において前記検出部と接続されている。
【００１８】
本発明の第６の観点は、第１から第５のいずれかの観点に記載のタッチセンサ付携帯型装置であって、前記基準電位部に接続することにより前記センサ電極と等電位となり、表示部に通電する表示電極をさらに備える。
【００１９】
なお、電源部が印加する「時間的に変動する電圧」は、交流電圧でもよいし、パルス電圧でもよい。
【発明の効果】
【００２０】
本発明の各観点によれば、検出部は、筐体内部にあるか又は筐体と一体化した基準電位部に接続することにより、ローサイド電流を検出することとなる。そのため、ノイズを低減することができ、センサ電極に流れる電流を高精度に検出する自己容量方式のタッチセンサ付携帯型装置等を提供することが可能となる。
【００２１】
従来、自己容量方式について、検出部が電源部を介して基準電位部に接続されているためにハイサイド電流を検出することとなり、高コストとなっていた。このような課題は、これまで、認識されていなかった。これまで相互容量方式が用いられることが多く、自己容量方式についての課題が十分に認識されなかったためである。特許文献１にも、検出回路がアースに接続された回路は記載されているものの、ローサイド電流を検出すべきとの課題について記載も示唆もない。まして、ノイズが顕著となる携帯型装置に特有の課題解決手段として、筐体内部に基準電位部を備えるという携帯型装置の具体的な構成については、記載も示唆もない。
【００２２】
また、本発明の第２の観点によれば、人体の接触を高精度に検出することが可能となる。そのため、例えば、手袋をした手での操作や、手がガラス面に非接触な状態での操作が可能な、自己容量方式の高精度なタッチセンサ付携帯型装置を提供することが可能となる。しかも、接触部が筐体の一部又は全部であるため、携帯型装置の筐体を手にとるという自然な動作以外の操作を使用者に課すことなくタッチパネル機能を発揮させることが可能となる。
【００２３】
さらに、本発明の第３の観点によれば、第２の観点を拡張して、切替手段が、検出部に対して、人体を回路の一部としてローサイド電流を検出させるか、又は、筐体内部でハイサイド電流を検出させるかを切り替えることが可能となる。そのため、切替手段を設けることにより、例えば、簡易に入出力を行う指操作モードと、細かい操作をも可能とするペン操作モードとを切り替えることのできるタッチパネル付携帯型装置を提供することが可能となる。
【００２４】
さらに、本発明の第４の観点によれば、電源に接続されていないペン型の操作器具や手袋をしたままの指等の絶縁体によってもタッチパネル機能を発揮させることが可能となる。このため、自己容量方式を採用するタッチパネル付携帯型装置であっても、電源位置に束縛されずに使用することが可能となる。
【００２５】
なお、特許文献１には、ローサイド電流を検出する回路を用いた装置として、アースに接続された交流電源に直接接続されたペンを用いる装置が記載されている。このため、使用者は、アースに接続された交流電源の位置に束縛されることとなる。
【００２６】
さらに、本発明の第５の観点によれば、自己容量方式を用いるためセンサ電極が単層であるにも関わらず、マルチタッチを検出するタッチセンサ付携帯型装置をさらに高精度なものとすることが可能となる。
【００２７】
さらに、本発明の第６の観点によれば、表示部に通電する表示電極を備える場合であっても、センサ電極と表示電極との間で形成される寄生容量によるノイズを低減することが可能となる。このため、高精度なタッチセンサを備えた表示装置を提供することが可能となる。
【図面の簡単な説明】
【００２８】
【図１】本発明に係るタッチセンサ付携帯型装置の等価回路１を示した図である。
【図２】実施例１に係るタッチセンサ付携帯型装置の概要を示した模式図である。
【図３】実施例２に係るタッチセンサ付携帯型装置の概要を示した模式図である。
【図４】実施例３に係るタッチセンサ付携帯型装置の（ａ）指操作モード時の回路、（ｂ）ペン操作モード時の回路を示す図である。
【図５】実施例４に係るタッチセンサ付携帯型装置の（ａ）タッチパネルの模式図、（ｂ）タッチした際の等価回路を示す図である。
【図６】従来の表示装置を示す図である。
【図７】発明者らがこれまでに開発したマルチタッチセンサ装置を示す図である。
【図８】表面型検出方式について示す図である。
【図９】投影型検出方式について示す図である。
【発明を実施するための形態】
【００２９】
以下、図面を参照して、本願発明の実施例について述べる。なお、本願発明の実施の形態は、以下の実施例に限定されるものではない。
【００３０】
まず、一般的な静電容量型タッチパネルについて説明する。静電容量方式は、透明電極層と指の間にできる浮遊容量を利用して指の位置検出を行う。静電容量方式のタッチパネルは、表面型と投影型と呼ばれる２つの方式に分類されている。
【００３１】
表面型の静電容量方式の原理図を図８に示す。表面型タッチパネル３０１は、透明導電膜３０３とカバー層３２５を備える。ここで、電源部３１１１〜３１１４が、導電膜３０３の四隅から電圧を加える。ここで、指３０６が接触すると、導電膜３０３と指３０６の間で容量結合３２７が生じる。また、人体はグランドとみなせるため、電流が流れる。このときの電流の比率を計算することで、導電膜３０３の四隅から指３０６との接触地点までの抵抗の比がわかり、指３０６の接触位置の検出を行うことができる。
【００３２】
一方、投影型の静電容量方式の原理図を図９に示す。投影型タッチパネル４０１は、パターン付けした透明導電膜４０３及び４４３の間に絶縁膜４４５を挟み，最上部にカバー層４９１をのせた構造になっている。位置検出においては、まずセンサー電極４０４１〜４０４６にパルス電圧を加え、そこに流れる電流変化を測定する。指がカバー層４９１に触れると電極との浮遊容量により容量が増えるので、電流値が変化する。この静電容量変化の有無を検出することで接触／非接触を判断する。
【実施例１】
【００３３】
図１は、本発明に係るタッチセンサ付携帯型装置の等価回路１を示した図である。等価回路１は、センサ電極３（本願請求項の「センサ電極」の一例）と導体５（本願請求項の「導体」の一例）とが形成する浮遊容量７（本願請求項の「静電容量」の一例）と、基準電位となる基準電位部９（本願請求項の「基準電位部」の一例）と、電源部１１（本願請求項の「電源部」の一例）と、検出部１３（本願請求項の「検出部」の一例）とを備える。また、基準電位部９は、筐体１５（本願請求項の「筐体」の一例）内にある。
【００３４】
電源部１１は、基準電位部９に接続し、基準電位部９を基準電位として導体５に時間的に変動する電圧を印加する。ここで、電源部１１が印加する電圧は、交流電圧でもパルス電圧でもよい。検出部１３は、センサ電極３及び基準電位部９に接続し、センサ電極３に流れる電流を、基準電位部を基準にしてローサイド電流として検出する。
【００３５】
ここで、基準電位部９は、携帯型装置の筐体１５の内部にある。そのため、一般に、基準電位部９は、アースから浮くこととなる。
【００３６】
そこで、図２を参照して、図１の等価回路の実際の携帯型装置への応用について述べる。図２は、実施例１に係るタッチセンサ付携帯型装置２１（本願請求項の「タッチセンサ付携帯型装置」の一例）の概要を示した模式図である。
【００３７】
タッチセンサ付携帯型装置２１は、センサ電極３と、基準電位部９と、電源部１１と、検出部１３と、筐体１５と、接触部２３（本願請求項の「接触部」の一例）と、絶縁体２５と、絶縁体２７と、共通／ＥＳＤ電極２９（本願請求項の「表示電極」の一例）と、ＬＳＤ駆動電極３１と、ガラス基板３３と、回路基板３５と、駆動信号生成部３７とを備える。
【００３８】
接触部２３は、筐体１５の一部であって、筐体１５の外部に露出している。また、接触部２３は、電源部１１に電気的に接続されている。絶縁体２５は、タッチセンサ付携帯型装置２１のタッチパネル表面であり、センサ電極３を覆っている。センサ電極３は、絶縁体２７を挟んで共通／ＥＳＤ電極２９と対向している。そのため、共通／ＥＳＤ電極２９との間で寄生容量Ｃｐ３９を生じる。ただし、ＥＳＤ電極２９は、基準電位部９に接続されている。そのため、センサ電極と等電位とされ、寄生容量Ｃｐ３９の影響は、極力低減されている。また、共通／ＥＳＤ電極と回路基板３５とは、駆動信号生成部３７を介して接続されている。
【００３９】
次に、タッチセンサ付携帯型装置２１の動作について述べる。導体５である人体６（本願請求項の「導体」の一例）（例えば、右手人差し指）が絶縁体２５に接近又は接触すると、人体６とセンサ電極３との間で浮遊容量７が生じる。このとき、人体６の別の部分（例えば、左手）が接触部２３に接触することにより、電源部１１は、接触部２３を経由して電圧を人体６に印加する。すると、センサ電極３に流れる電流が変化し、検出部１３は、この電流の変化を検出する。
【００４０】
ここで、筐体１５の内部には、基準電位部９が設けられ、検出部１３は、基準電位部９に接続されている。そのため、人体６の接近又は接触をローサイド電流の変化として検出することが可能となる。これにより、高精度な検出が可能となる。
【００４１】
さらに、接触部２３は、筐体１５の一部又は全部である。そのため、本実施例によれば、本発明の第２の観点にあるように、タッチセンサ付携帯型装置１の筐体１５を手にとるという自然な動作以外の操作を使用者に課すことなく、タッチパネル機能を発揮させることが可能となる。
【実施例２】
【００４２】
次に、図３を参照して、等価回路１の実際の携帯型装置への応用の他の例について述べる。図３は、実施例２に係るタッチセンサ付携帯型装置４１の概要を示した模式図である。以下、タッチセンサ付携帯型装置４１が、タッチセンサ付携帯型装置１と異なる点について中心に述べる。
【００４３】
タッチセンサ付携帯型装置４１は、導体５として、タッチパネルの表面に可撓性のある導電膜４３（本願請求項の「導体」の一例）を導体５として備える。また、絶縁体２５の代わりに、可撓性のある絶縁体４５（本願請求項の「絶縁体」の一例）を備える。導電膜４３は、導線４７により電源部１１と電気的に接続されている。
【００４４】
次に、タッチセンサ付携帯型装置４１の動作について述べる。導電膜４３とセンサ電極３とが絶縁体４３を介して対向することにより、静電容量５（本願請求項の「静電容量」の一例）が形成されている。ここで、ペン４９で導電膜４３を押すことにより、静電容量５が変化する。導電膜４３には、電源部１１から電圧が印加されているため、静電容量５の変化に伴い、センサ電極３に流れる電流が変化する。基準電位部９に接続された検出部１３は、この変化をローサイド電流の変化として検出する。
【００４５】
タッチセンサ付携帯型装置４１により、電源に接続されていないペン型の操作器具や手袋をしたままの指等の絶縁体によってもタッチパネル機能を発揮させることが可能となる。このため、本発明の第４の観点にあるように、自己容量方式を採用するタッチパネル付携帯型装置であっても、電源位置に束縛されずに使用することが可能となる。
【実施例３】
【００４６】
さらに、図４を参照して、導体である指で操作するモードとペン等の絶縁性の操作機器で操作するモードとを切り替え可能なタッチセンサ付携帯型装置について説明する。図４は、実施例３に係るタッチセンサ付携帯型装置６１の（ａ）指操作モード時の回路、（ｂ）ペン操作モード時の回路を示す図である。
【００４７】
図４（ａ）を参照して、タッチセンサ付携帯型装置６１がタッチセンサ付携帯型装置２１と異なる点を中心に説明する。タッチセンサ付携帯型装置６１は、絶縁体２５の代わりに、可撓性の絶縁体６３を備える。また、絶縁体２７の代わりに、可撓性の絶縁体６５を備える。さらに、検出部１３及び基準電位部９の間の接続と、検出部１３及び電源部１１との接続とを切り替えるスイッチ６７（本願請求項の「切替手段」の一例）を備える。図４（ａ）の指操作モードにおいては、検出部１３は、基準電位部９に接続されている。そのため、検出部１３は、ローサイド電流を検出する。
【００４８】
人体６が、接触部２３に接触すると共に、絶縁体６３に接触又は接近すると、人体６とセンサ電極３の間に浮遊容量（本願請求項の「静電容量」の一例）が形成される。電源部１１は、接触部２３を経由して電圧を人体６に印加する。すると、センサ電極３に流れる電流が変化し、検出部１３は、この電流の変化を検出する。
【００４９】
次に、図４（ｂ）を参照して、絶縁性の操作機器で操作するペン操作モード時の操作について説明する。このとき、人体６が回路の一部とならないため、電源部１１は、導体５となるセンサ電極３に接続されていない。そのため、切替手段６７の接続を切り替えて電源部１１を検出部１３に接続する。そのため、検出部１３は、電源部１１を介して基準電位部９に接続され、ハイサイド電流を検出することとなる。
【００５０】
センサ電極３と共通／ＥＳＤ電極２９とが絶縁体６５を介して対向することにより、静電容量３９（本願請求項の「静電容量」の一例）が形成されている。ここで、ペン４９で絶縁体６３を押し下げることにより、連動してセンサ電極３が押し下げられ、静電容量３９が変化する。センサ電極３には、電源部１１から電圧が印加されているため、静電容量３９の変化に伴い、センサ電極３に流れる電流が変化する。検出部１３は、この変化をハイサイド電流の変化として検出する。
【００５１】
上記の通り、本発明の第３の観点にあるように、スイッチ６７の切替により、指操作モードとペン操作モードとを切り替えることが可能となる。そのため、例えば、誤動作を防止するためには指操作モード、細かい操作をするためにはペン操作モードのように切り替えることのできるタッチパネル付携帯型装置６１を提供することが可能となる。
【実施例４】
【００５２】
続いて、図５を参照して、マルチタッチ対応のタッチセンサ付携帯型装置への本発明の応用について説明する。
【００５３】
一般に、表面型のタッチパネルは、構造がシンプルなためコストを抑えられる。しかし、その原理ゆえに多点検知することができない。一方、投影型のタッチパネルでは、図９に示すように、電極が２次元状に複数並んでいる。そのため、指の接触位置の多点検知が可能となる。しかし，表面型に比べ，電極のパターン付けが必要になり、電極層と絶縁層が1 層ずつ増える。そのため、コストが増大する。
【００５４】
そこで、以下に述べるように、非特許文献１記載の技術に本発明を応用することにより、構造をシンプルに保ちつつ、高精度にマルチタッチを検出することが可能となる。
【００５５】
図５は、実施例４に係るタッチセンサ付携帯型装置８１の（ａ）タッチパネルの模式図、（ｂ）タッチした際の等価回路を示す図である。まず、タッチセンサ付携帯型装置８１が、タッチセンサ付携帯型装置２１と異なる点について説明する。
【００５６】
タッチセンサ付携帯型装置８１は、短冊形状のセンサ電極３１（本願請求項の「第１センサ電極」の一例），３２（本願請求項の「第２センサ電極」の一例），３３，・・・（以下、まとめて「センサ電極３ｎ」と表記）をほぼ同一平面上に備える。これらの複数のセンサ電極３ｎは、長辺側が近接するように配置されている。また、センサ電極３ｎは、長辺方向に互いに離れた２点において、検出部１３１及び１３２と接続されている。
【００５７】
ここで、図５（ｂ）の回路図にも示すように、検出部１３１及び検出部１３２は、表示装置１０１と異なり、電源部１１を介さずに、図示しない筐体１５内の基準電位部９に直絶接続される。そのため、ローサイド電流を検出することとなり、高精度な検出が可能となる。
【００５８】
また、電源部１１は、実施例１又は実施例２の方式により、センサ電極３ｎと導体との間に形成される静電容量（本願請求項の「静電容量」の一例）に電圧を印加する。以下、理解のために実施例１の方式で操作する場合について述べる。
【００５９】
複数の指がセンサ電極３ｎとの間で静電容量を形成すると、センサ電極の長辺方向の位置は、表面型の検出方式により、ローサイド電流で高精度に検出する。また、短辺方向は、投影型で検出する。このような構成とすることにより、本発明の第５の観点にあるように、本発明者らが開発した非特許文献に記載の技術を改良した、高精度な多点検知が可能となる。
【００６０】
なお、実施例２及び実施例３において、ペン４９の代わりに、絶縁性の手袋をした指で操作してもよい。また、ペン４９の代わりに、導電性の材質でできたペン等で操作してもよい。
【００６１】
また、実施例４において、検出部１３１及び１３２は、１つの検出部で実現されてもよい。
【符号の説明】
【００６２】
１；等価回路、３；センサ電極、５；導体、６；人体、７；静電容量、９；基準電位部、１１；電源部、１３；検出部、１５；筐体、２１・４１・６１・８１；タッチセンサ付携帯型装置、２３；接触部、４３；導電膜、４５；絶縁体、４９；ペン、６３；絶縁体、６５；絶縁体、６７；スイッチ
【図１】
2015111317.tif 000003
【図６】
2015111317.tif 000004
【図２】
2015111317.tif 000005
【図３】
2015111317.tif 000006
【図４】
2015111317.tif 000007
【図５】
2015111317.tif 000008
【図７】
2015111317.tif 000009
【図８】
2015111317.tif 000010
【図９】
2015111317.tif 000011